【手続補正書】
【提出日】平成22年10月4日(2010.10.4)
【手続補正１】
【補正対象書類名】特許請求の範囲
【補正対象項目名】全文
【補正方法】変更
【補正の内容】
【特許請求の範囲】
【請求項１】
ユーザに対応付いた印刷データを出力可能な情報処理装置とネットワークを介して接続される画像形成装置であって、
ユーザの操作に応じて入力された情報の認証の結果、ユーザ情報を管理するユーザ情報テーブルに従って得られるユーザを識別するためのユーザ識別情報と当該ユーザの所属するグループのグループ情報を受け付ける受付手段と、
前記受付手段で受け付けたユーザ識別情報と前記印刷データから抽出された書誌情報に含まれるユーザ識別情報が一致する印刷データの書誌情報と、前記受付手段で受け付けたグループ情報と前記印刷データから抽出された書誌情報に含まれるグループ情報が一致する印刷データの書誌情報を記憶装置から取得する取得手段と、
前記取得手段で取得した書誌情報を一覧表示する一覧表示手段とを備え、
前記一覧表示手段は、前記ユーザ識別情報が一致する印刷データの書誌情報を前記ユーザが出力可能な印刷データとして表示し、前記グループ情報が一致する印刷データの書誌情報を前記ユーザを含む複数のユーザが出力可能な印刷データとして表示することを特徴とする画像形成装置。
【請求項２】
前記ユーザが出力可能な印刷データの書誌情報を表示する個人印刷データ表示モードと、前記ユーザを含む複数のユーザが出力可能な印刷データの書誌情報を表示する共有印刷データ表示モードと、前記ユーザが出力可能な全ての印刷データを表示する全印刷データ表示モードとを選択する選択手段を備え、
前記一覧表示手段は、前記個人印刷データ表示モードが選択された場合に前記ユーザが出力可能な印刷データの書誌情報を表示し、前記共有印刷データ表示モードが選択された場合に前記ユーザを含む複数のユーザが出力可能な印刷データの書誌情報を表示し、前記全印刷データ表示モードが選択された場合に前記ユーザが出力可能な全ての印刷データを表示することを特徴とする請求項１に記載の画像形成装置。
【請求項３】
前記印刷データの書誌情報は、前記情報処理装置に備えるプリンタドライバで入力された、前記グループ情報に対応する複数のユーザに対して前記印刷データの用途を示すためのコメント情報を含み、
前記一覧表示手段は、前記グループ情報が一致する印刷データの書誌情報を前記ユーザを含む複数のユーザが出力可能な印刷データとして表示する際に、前記コメント情報とともに表示することを特徴とする請求項１又は２に記載の画像形成装置。
【請求項４】
前記一覧表示手段で印刷指示がされた場合に、前記印刷指示された書誌情報に対応する印刷データを前記記憶装置から取得する印刷データ取得手段と、
前記印刷データ取得手段で取得した印刷データを印刷する印刷手段と
をさらに備えることを特徴とする請求項１乃至４のいずれか１項に記載の画像形成装置。
【請求項５】
前記記憶装置は、当該画像形成装置又はサーバに備えることを特徴とする請求項１乃至４のいずれか１項に記載の画像形成装置。
【請求項６】
前記ユーザ情報管理テーブルは、当該画像形成装置又はサーバに備えることを特徴とする請求項１乃至４のいずれか１項に記載の画像形成装置。
【請求項７】
ユーザに対応付いた印刷データを出力可能な情報処理装置とネットワークを介して接続される画像形成装置の印刷制御方法であって、
前記画像形成装置が、
ユーザの操作に応じて入力された情報の認証の結果、ユーザ情報を管理するユーザ情報テーブルに従って得られるユーザを識別するためのユーザ識別情報と当該ユーザの所属するグループのグループ情報を受け付ける受付ステップと、
前記受付ステップで受け付けたユーザ識別情報と前記印刷データから抽出された書誌情報に含まれるユーザ識別情報が一致する印刷データの書誌情報と、前記受付手段で受け付けたグループ情報と前記印刷データから抽出された書誌情報に含まれるグループ情報が一致する印刷データの書誌情報を記憶装置から取得する取得ステップと、
前記取得ステップで取得した書誌情報を一覧表示する一覧表示ステップとを実行し、
前記一覧表示ステップは、前記ユーザ識別情報が一致する印刷データの書誌情報を前記ユーザが出力可能な印刷データとして表示し、前記グループ情報が一致する印刷データの書誌情報を前記ユーザを含む複数のユーザが出力可能な印刷データとして表示することを特徴とする印刷制御方法。
【請求項８】
ユーザに対応付いた印刷データを出力可能な情報処理装置とネットワークを介して接続される画像形成装置で実行可能なプログラムであって、
前記画像形成装置を、
ユーザの操作に応じて入力された情報の認証の結果、ユーザ情報を管理するユーザ情報テーブルに従って得られるユーザを識別するためのユーザ識別情報と当該ユーザの所属するグループのグループ情報を受け付ける受付手段と、
前記受付手段で受け付けたユーザ識別情報と前記印刷データから抽出された書誌情報に含まれるユーザ識別情報が一致する印刷データの書誌情報と、前記受付手段で受け付けたグループ情報と前記印刷データから抽出された書誌情報に含まれるグループ情報が一致する印刷データの書誌情報を記憶装置から取得する取得手段と、
前記取得手段で取得した書誌情報を一覧表示する一覧表示手段として機能させ、
前記一覧表示手段は、前記ユーザ識別情報が一致する印刷データの書誌情報を前記ユーザが出力可能な印刷データとして表示し、前記グループ情報が一致する印刷データの書誌情報を前記ユーザを含む複数のユーザが出力可能な印刷データとして表示することを特徴とするプログラム。
【手続補正２】
【補正対象書類名】明細書
【補正対象項目名】０００７
【補正方法】変更
【補正の内容】
【０００７】
そこで本発明の目的は、画像形成装置上で、認証されたユーザが印刷可能な印刷データと、認証されたユーザを含む複数のユーザが印刷可能な印刷データを識別可能に表示する
仕組みを提供する。
【手続補正３】
【補正対象書類名】明細書
【補正対象項目名】０００８
【補正方法】変更
【補正の内容】
【０００８】
ユーザに対応付いた印刷データを出力可能な情報処理装置とネットワークを介して接続される画像形成装置であって、ユーザの操作に応じて入力された情報の認証の結果、ユーザ情報を管理するユーザ情報テーブルに従って得られるユーザを識別するためのユーザ識別情報と当該ユーザの所属するグループのグループ情報を受け付ける受付手段と、前記受付手段で受け付けたユーザ識別情報と前記印刷データから抽出された書誌情報に含まれるユーザ識別情報が一致する印刷データの書誌情報と、前記受付手段で受け付けたグループ情報と前記印刷データから抽出された書誌情報に含まれるグループ情報が一致する印刷データの書誌情報を記憶装置から取得する取得手段と、前記取得手段で取得した書誌情報を一覧表示する一覧表示手段とを備え、前記一覧表示手段は、前記ユーザ識別情報が一致する印刷データの書誌情報を前記ユーザが出力可能な印刷データとして表示し、前記グループ情報が一致する印刷データの書誌情報を前記ユーザを含む複数のユーザが出力可能な印刷データとして表示することを特徴とする。
【手続補正４】
【補正対象書類名】明細書
【補正対象項目名】０００９
【補正方法】変更
【補正の内容】
【０００９】
前記ユーザが出力可能な印刷データの書誌情報を表示する個人印刷データ表示モードと、前記ユーザを含む複数のユーザが出力可能な印刷データの書誌情報を表示する共有印刷データ表示モードと、前記ユーザが出力可能な全ての印刷データを表示する全印刷データ表示モードとを選択する選択手段を備え、前記一覧表示手段は、前記個人印刷データ表示モードが選択された場合に前記ユーザが出力可能な印刷データの書誌情報を表示し、前記共有印刷データ表示モードが選択された場合に前記ユーザを含む複数のユーザが出力可能な印刷データの書誌情報を表示し、前記全印刷データ表示モードが選択された場合に前記ユーザが出力可能な全ての印刷データを表示することを特徴とする。
【手続補正５】
【補正対象書類名】明細書
【補正対象項目名】００１０
【補正方法】変更
【補正の内容】
【００１０】
前記印刷データの書誌情報は、前記情報処理装置に備えるプリンタドライバで入力された、前記グループ情報に対応する複数のユーザに対して前記印刷データの用途を示すためのコメント情報を含み、前記一覧表示手段は、前記グループ情報が一致する印刷データの書誌情報を前記ユーザを含む複数のユーザが出力可能な印刷データとして表示する際に、前記コメント情報とともに表示することを特徴とする。
【手続補正６】
【補正対象書類名】明細書
【補正対象項目名】００１１
【補正方法】変更
【補正の内容】
【００１１】
前記一覧表示手段で印刷指示がされた場合に、前記印刷指示された書誌情報に対応する印刷データを前記記憶装置から取得する印刷データ取得手段と、前記印刷データ取得手段で取得した印刷データを印刷する印刷手段とをさらに備えることを特徴とする。
【手続補正７】
【補正対象書類名】明細書
【補正対象項目名】００１２
【補正方法】変更
【補正の内容】
【００１２】
前記記憶装置は、当該画像形成装置又はサーバに備えることを特徴とする。
【手続補正８】
【補正対象書類名】明細書
【補正対象項目名】００１３
【補正方法】変更
【補正の内容】
【００１３】
前記ユーザ情報管理テーブルは、当該画像形成装置又はサーバに備えることを特徴とする。
【手続補正９】
【補正対象書類名】明細書
【補正対象項目名】００１４
【補正方法】変更
【補正の内容】
【００１４】
ユーザに対応付いた印刷データを出力可能な情報処理装置とネットワークを介して接続される画像形成装置の印刷制御方法であって、前記画像形成装置が、ユーザの操作に応じて入力された情報の認証の結果、ユーザ情報を管理するユーザ情報テーブルに従って得られるユーザを識別するためのユーザ識別情報と当該ユーザの所属するグループのグループ情報を受け付ける受付ステップと、前記受付ステップで受け付けたユーザ識別情報と前記印刷データから抽出された書誌情報に含まれるユーザ識別情報が一致する印刷データの書誌情報と、前記受付手段で受け付けたグループ情報と前記印刷データから抽出された書誌情報に含まれるグループ情報が一致する印刷データの書誌情報を記憶装置から取得する取得ステップと、前記取得ステップで取得した書誌情報を一覧表示する一覧表示ステップとを実行し、前記一覧表示ステップは、前記ユーザ識別情報が一致する印刷データの書誌情報を前記ユーザが出力可能な印刷データとして表示し、前記グループ情報が一致する印刷データの書誌情報を前記ユーザを含む複数のユーザが出力可能な印刷データとして表示することを特徴とする。
【手続補正１０】
【補正対象書類名】明細書
【補正対象項目名】００１５
【補正方法】変更
【補正の内容】
【００１５】
ユーザに対応付いた印刷データを出力可能な情報処理装置とネットワークを介して接続される画像形成装置で実行可能なプログラムであって、前記画像形成装置を、ユーザの操作に応じて入力された情報の認証の結果、ユーザ情報を管理するユーザ情報テーブルに従って得られるユーザを識別するためのユーザ識別情報と当該ユーザの所属するグループのグループ情報を受け付ける受付手段と、前記受付手段で受け付けたユーザ識別情報と前記印刷データから抽出された書誌情報に含まれるユーザ識別情報が一致する印刷データの書誌情報と、前記受付手段で受け付けたグループ情報と前記印刷データから抽出された書誌情報に含まれるグループ情報が一致する印刷データの書誌情報を記憶装置から取得する取得手段と、前記取得手段で取得した書誌情報を一覧表示する一覧表示手段として機能させ、前記一覧表示手段は、前記ユーザ識別情報が一致する印刷データの書誌情報を前記ユーザが出力可能な印刷データとして表示し、前記グループ情報が一致する印刷データの書誌情報を前記ユーザを含む複数のユーザが出力可能な印刷データとして表示する。
【手続補正１１】
【補正対象書類名】明細書
【補正対象項目名】００１６
【補正方法】削除
【補正の内容】
【手続補正１２】
【補正対象書類名】明細書
【補正対象項目名】００１７
【補正方法】変更
【補正の内容】
【００１７】
画像形成装置上で、認証されたユーザが印刷可能な印刷データと、認証されたユーザを含む複数のユーザが印刷可能な印刷データを識別可能に表示することができる。
特に、例えば会議に自分で印刷して持っていかなければならない資料を複合機上で確認できるため、会議に参加するユーザが各自でパソコンを立ち上げ、パソコンから印刷をするなどの作業を行わずに印刷を行うことができる。